(57)【要約】      （修正有）【課題】冷凍サイクルの凝縮器へ散水し冷却処理を付加するとともに散水に伴う蒸発残留物の付着を抑える散水制御装置を提供する。【解決手段】冷凍サイクルの運転状態を数値化して記憶及び監視して所定の値を超えていれば前記冷凍サイクルの凝縮器２へ散水して冷却処理を付加し、所定の値を超えていない状態が所定の時間続いた場合、散水を開始し所定の時間経過後に散水を停止することで前記冷却処理に伴う凝縮器２の蒸発残留物を流し落とすようにした。【選択図】図２
2018132290.tif 000002
【特許請求の範囲】
【請求項１】
冷凍サイクルを用いる冷却装置に設けられ、前記冷凍サイクルの凝縮器に水を噴射することで冷却処理を付加する散水制御装置であって、前記冷凍サイクルの運転状態を数値化して記憶及び監視する運転状態監視部と、前記凝縮器へ水を噴射する散水制御部と、前記運転状態監視部が監視する数値化した運転状態と所定の閾値から散水が必要か否かを判断する散水判断部とを備え、前記散水判断部が散水を必要と判断した場合に散水制御部を用いて散水を実行する散水手段１と、前記散水手段１による散水がおこなわれた後に、前記散水判断部が散水を必要としないと判断した状態のまま所定の時間経過した時点で散水制御部を用いて散水を開始し、所定の時間経過後に散水を停止する散水手段２とを備えることを特徴とする散水制御装置。
【請求項２】
前記運転状態監視部において、数値化する運転状態は前記冷凍サイクルの圧縮機から出力される冷媒配管の温度であることを特徴とする請求項１に記載の散水制御装置。
【請求項３】
前記運転状態監視部において、数値化する運転状態は前記冷却装置の消費電流であることを特徴とする請求項１〜２に記載の散水制御装置。
【請求項４】
前記運転状態監視部において、数値化する運転状態は前記冷却装置の消費電力であることを特徴とする請求項１〜３に記載の散水制御装置。
【請求項５】
前記散水制御判断部において、強制的に散水を実行または散水を停止または前記所定の閾値の変更の指示を外部の機器から受信が可能な送受信手段を設けたことを特徴とする請求項１〜４に記載の散水制御装置。
【請求項６】
前記散水制御判断部における判断の結果および所定の閾値および前記運転状態監視部が記憶する数値化した運転状態のいずれかひとつ以上を外部の機器へ送信が可能な送受信手段を設けたことを特徴とする請求項１〜５に記載の散水制御装置。
【発明の詳細な説明】
【技術分野】
【０００１】  本発明は、冷凍サイクルを用いる冷却装置の運転状態を監視して必要に応じて凝縮器に散水して冷却処理を付加する散水制御装置に関するものである。
【背景技術】
【０００２】  図１は冷却装置の冷凍サイクルを説明する図面である。図示の通り、冷凍サイクルは圧縮機１と凝縮器２と膨張弁３と蒸発器４を使用して冷媒を用いた熱移動を連続しておこなうものである。【０００３】  前記冷凍サイクルの凝縮器２に散水することは冷却処理を付加することなるため何らかの計測を行い所定の値を上回った場合に散水がおこなわれる。例えば特許文献１では、配管温度と外気温度の計測を行い、所定の値を上回った場合に凝縮器２に散水する方法が記載されている。
【特許文献１】特許第３９０２０９３号
【特許の開示】
【発明が解決しようとする課題】
【０００４】  しかしながら、前記凝縮器２に散水された水は蒸発し残留物が凝縮器２のフィンに付着する。この付着物にはシリカが多く含まれ長期間放置すると厚さが増し冷却効率を落としてしまう。
【０００５】  本発明の目的は、凝縮器２へ散水し冷却処理を付加したうえで、凝縮器２への蒸発残留物の付着を抑える散水制御装置を提供することなどである。
【課題を解決するための手段】
【０００６】  上記の課題を解決するため、請求項１に記載の発明は、冷凍サイクルを用いる冷却装置に設けられ、前記冷凍サイクルの凝縮器に水を噴射することで冷却処理を付加する散水制御装置であって、前記冷凍サイクルの運転状態を数値化して記憶及び監視する運転状態監視部と、前記凝縮器へ水を噴射する散水制御部と、前記運転状態監視部が監視する数値化した運転状態と所定の閾値から散水が必要か否かを判断する散水判断部とを備え、前記散水判断部が散水を必要と判断した場合に散水制御部を用いて散水を実行する散水手段１と、前記散水手段１による散水がおこなわれた後に、前記散水判断部が散水を必要としないと判断した状態のまま所定の時間経過した時点に散水制御部を用いて散水を開始して所定の時間経過後に散水を停止する散水手段２とを備えることを特徴とする散水制御装置である。
【０００７】  請求項２に記載の発明は、前記運転状態監視部において、数値化する運転状態は前記冷凍サイクルの圧縮機から出力される冷媒配管の温度であることを特徴とする前記散水制御装置である。
【０００８】  請求項３に記載の発明は、前記運転状態監視部において、数値化する運転状態は前記冷却装置の消費電流であることを特徴とする前記散水制御装置である。
【０００９】  請求項４に記載の発明は、前記運転状態監視部において、数値化する運転状態は前記冷却装置の消費電力であることを特徴とする前記散水制御装置である。
【００１０】  請求項５に記載の発明は、前記散水制御判断部において、強制的に散水を実行または散水を停止または前記所定の閾値の変更の指示を外部の機器から受信が可能な送受信手段を設けたことを特徴とする前記散水制御装置である。
【００１１】  請求項６に記載の発明は、前記散水制御判断部における判断の結果および所定の閾値および前記運転状態監視部が記憶する数値化した運転状態のいずれかひとつ以上を外部の機器へ送信が可能な送受信手段を設けたことを特徴とする前記散水制御装置である。
【００１２】  請求項１に記載の発明によれば、冷凍サイクルの運転状態を数値化して記憶及び監視し所定の閾値と比較することで散水が必要か否かを判断して必要と判断した場合は散水制御部を用いて散水を実行している。また数値化する運転状態はたとえば請求項２〜４に記載の冷媒配管の温度や冷却装置の消費する電流値や電力値を用いることができる。また散水の必要がないと判断した状態が所定の時間続いた場合に前記閾値による判断とは関係なく散水を実行し所定の時間経過後に散水を停止している。
【００１３】  散水が必要と判断した場合は、凝縮器が高温であるため散水された水は蒸発し熱を奪い冷却処理を付加するが、残留物が凝縮器のフィンに付着することになる。散水が必要でないと判断した場合は、凝縮器が高温でないため散水された水は蒸発せず地面に流れ落ちるがこの時付着した残留物を一緒に流し落とすことになるため残留物の付着を抑えることができる。
【発明を実施するための最良の形態】
【００１４】  以下、本発明に係る散水制御装置の実施例について図２に基づいて説明する。
【実施例】
【００１５】  図２に示すように、本実施例の散水制御装置６は圧縮機１から出力される冷媒配管５の温度を温度センサー７ａにより計測することで本発明に記載されている数値化された運転状態を得ることができる。散水制御装置６は本発明に記載される散水制御部により散水装置８を駆動させることで、凝縮器２に散水することができる。前記数値化された運転状態を得るために電流センサー７ｂや電圧計測ライン７ｃを用いて電流値および電力値を用いても良い。【００１６】  数値化された運転状態が所定の値を超えていた場合は凝縮器２へ散水し冷却処理を付加する。数値化された運転状態が所定の値を超えなくなって所定の時間が経過すると凝縮器２は冷却処理の必要がなくなり散水しても水の蒸発はしないと考えられる。この時点で所定の時間散水をすることで水は蒸発せず凝縮器２から地面に流れ落ちるから前回以前に付着した蒸発残留物も流し落とし付着を低減する。【００１７】  次に散水制御装置の動作を図２の実施例と図３のフローチャートにより説明する。【００１８】  Ｓ１では温度センサー７ａまたは電流センサー７ｂまたは電圧計測ライン７ｃを用いて運転状態を計測し数値化している、Ｓ２では数値化した運転状態を記憶している【００１９】  Ｓ３では数値化した運転状態が措定の値以上か確認し超えている場合はＳ４の凝縮器２へ散水を実行してＳ１から繰り返す。超えていない場合はＳ５へ。【００２０】  Ｓ５では前回Ｓ３の冷却散水を実行してから所定の時間経過後に所定の時間凝縮器２の残留物除去のための散水を実行したか確認し、完了していればＳ１から繰り返す。完了していない場合Ｓ６へ。【００２１】  Ｓ６では前回Ｓ３の冷却散水を実行してから所定の時間が経過しているか確認し経過していなければＳ１から繰り返す。経過していれば凝縮器２の残留物除去のため散水を開始してＳ１へ戻る【００２２】  このように本発明によると冷凍サイクルの運転状態を数値化して記憶及び監視して所定の値を超えていれば前記冷凍サイクルの凝縮器へ散水して冷却処理を付加し、所定の値を超えていない状態が所定の時間続いた場合、散水を開始し所定の時間経過後に散水を停止することで前記冷却処理に伴う蒸発残留物を流し落とすことができる。
【図面の簡単な説明】
【００２３】
【図１】冷凍サイクルの原理を説明する図面である。
【図２】本発明の実施の形態に係る散水制御装置の接続構成図である。
【図３】本発明の実施の形態に係る散水制御装置のフローチャートである。
【符号の説明】
【００２４】１．圧縮機
２．凝縮器
３．膨張弁
４．蒸発器
５．冷媒配管
６．散水制御装置
７ａ．温度センサー
７ｂ。電流センサー
７ｃ。電圧計測ライン
８．散水装置
【図１】
2018132290.tif 000003
【図２】
2018132290.tif 000004
【図３】
2018132290.tif 000005